【手続補正書】
【提出日】平成16年5月19日(2004.5.19)
【手続補正１】
【補正対象書類名】明細書
【補正対象項目名】発明の名称
【補正方法】変更
【補正の内容】
【発明の名称】パチンコ遊技場、及びパチンコ球数換算装置
【手続補正２】
【補正対象書類名】明細書
【補正対象項目名】特許請求の範囲
【補正方法】変更
【補正の内容】
【特許請求の範囲】
【請求項１】
第１の遊技機と、
該第１の遊技機から獲得したパチンコ球を計数し、第１の景品交換率によって景品額に換算する第１交換率計数機と
を備えた第１遊技領域と、
第２の遊技機と、
該第２の遊技機から獲得したパチンコ球を計数し、第１の景品交換率よりも高い第２の景品交換率によって景品額に換算する第２交換率計数機と
を備えた第２遊技領域と
を備えたことを特徴とするパチンコ遊技場。
【請求項２】
請求項１に記載のパチンコ遊技場であって、
前記第１遊技領域と前記第２遊技領域との間を移動する際に遊技者が通過する通過領域と、
該通過領域に設けられ、パチンコ球を検出することが可能なパチンコ球検出手段と、
該パチンコ球検出手段による検出結果を外部に出力する検出結果出力手段と
を備えたことを特徴とするパチンコ遊技場。
【請求項３】
請求項１または２に記載のパチンコ遊技場であって、
前記第１遊技領域において遊技に用いるパチンコ球と、前記第２遊技領域において遊技に用いるパチンコ球とは識別可能であることを特徴とするパチンコ遊技場。
【請求項４】
請求項１〜３の何れかに記載のパチンコ遊技場であって、
前記第１遊技領域と前記第２遊技領域との間を移動する際に遊技者が通過する通過領域と、
該通過領域に設けられ、一方の遊技領域において獲得したパチンコ球の数を、当該遊技領域の景品交換率と他方の遊技領域の景品交換率との比率に応じて換算するパチンコ球数換算装置と
を備えたことを特徴とするパチンコ遊技場。
【請求項５】
請求項４に記載のパチンコ遊技場であって、
前記パチンコ球数換算装置は、景品交換率の高い第２遊技領域から景品交換率の低い第１遊技領域へ移動する遊技者が所有するパチンコ球の数の換算は行わないことを特徴とするパチンコ遊技場。
【請求項６】
第１の遊技機と、該第１の遊技機から獲得したパチンコ球を計数し、第１の景品交換率によって景品額に換算する第１交換率計数機とを備えた第１遊技領域と、第２の遊技機と、該第２の遊技機から獲得したパチンコ球を計数し、第１の景品交換率よりも高い第２の景品交換率によって景品額に換算する第２交換率計数機とを備えた第２遊技領域との間を移動する際に遊技者が通過する通過領域に設けられ、一方の遊技領域において獲得したパチンコ球の数を、当該遊技領域の景品交換率と他方の遊技領域の景品交換率との比率に応じて換算するパチンコ球数換算装置。
【手続補正３】
【補正対象書類名】明細書
【補正対象項目名】０００１
【補正方法】変更
【補正の内容】
【０００１】
【発明の属する技術分野】
本発明は、パチンコ遊技場に関し、特に、一つのパチンコ遊技場において複数の景品交換率が設定されたパチンコ遊技場と、これに関わる技術とに関する。
【手続補正４】
【補正対象書類名】明細書
【補正対象項目名】０００５
【補正方法】変更
【補正の内容】
【０００５】
本発明は、この様な要望に応えるためになされたものであり、多額の景品を獲得することを望む遊技者と、少ない投資で長時間に渡って遊技を行うことを望む遊技者とを、共に満足させることができるパチンコ遊技場と、これに関わる技術とを提供することを目的とする。
【手続補正５】
【補正対象書類名】明細書
【補正対象項目名】０００６
【補正方法】変更
【補正の内容】
【０００６】
【課題を解決するための手段及び発明の効果】
この様な目的を達成するため、第１の発明であるパチンコ遊技場は、第１の遊技機と、該第１の遊技機から獲得したパチンコ球を計数し、第１の景品交換率によって景品額に換算する第１交換率計数機とを備えた第１遊技領域と、第２の遊技機と、該第２の遊技機から獲得したパチンコ球を計数し、第１の景品交換率よりも高い第２の景品交換率によって景品額に換算する第２交換率計数機とを備えた第２遊技領域とを備えたことを特徴とする。
【手続補正６】
【補正対象書類名】明細書
【補正対象項目名】０００７
【補正方法】変更
【補正の内容】
【０００７】
第１の発明では、一つのパチンコ遊技場内に複数の遊技領域が設けられており、遊技領域毎に景品交換率が設定されている。そして、例えば、第１遊技領域においては、全ての遊技機の出玉率を略一定に設定することにより、少ない投資で長時間に渡って遊技を行うことができる様にする。逆に、第２遊技領域においては、遊技機の極一部の出玉率を非常に高く設定し、残りの大部分について出玉率を非常に低く設定することにより、遊技機の選択次第で、多額の景品を獲得することができる様にする。あるいは、単純に、第２遊技領域に備えられる遊技機の平均出玉率を、第１遊技領域に備えられる遊技機の平均出玉率よりも低く設定する。遊技者は、各遊技領域の景品交換率を参考にして、各自の目的や技量に応じて自由に遊技領域を選択し、選択した遊技領域において遊技を行う。そして、遊技者が獲得したパチンコ球は、各遊技領域に設定されている景品交換率に従って景品額に換算され、景品と交換される。
【手続補正７】
【補正対象書類名】明細書
【補正対象項目名】０００８
【補正方法】変更
【補正の内容】
【０００８】
この様に、第１の発明によれば、一つのパチンコ遊技場内に、景品交換率の異なる複数の遊技領域が備えられているので、多額の景品を獲得することを望む遊技者と、少ない投資で長時間に渡って遊技を行うことを望む遊技者とを、共に満足させることができるという効果が得られる。
【手続補正８】
【補正対象書類名】明細書
【補正対象項目名】０００９
【補正方法】変更
【補正の内容】
【０００９】
また、第１の発明において、前記第１遊技領域と前記第２遊技領域との間を移動する際に遊技者が通過する通過領域と、該通過領域に設けられ、パチンコ球を検出することが可能なパチンコ球検出手段と、該パチンコ球検出手段による検出結果を外部に出力する検出結果出力手段とを備えていてもよい。
【手続補正９】
【補正対象書類名】明細書
【補正対象項目名】００１２
【補正方法】変更
【補正の内容】
【００１２】
また、第１の発明において、前記第１遊技領域において遊技に用いるパチンコ球と、前記第２遊技領域において遊技に用いるパチンコ球とは識別可能であってもよい。
ここで、識別可能とは、例えばパチンコ球の色、パチンコ球に刻まれた文字等によって、パチンコ球が所属する遊技領域を視覚的に識別することができること、あるいは所属する遊技領域についての情報を電気的、磁気的方法等によってパチンコ球に記録することにより、計数機が計数する際に識別することができること等をいう。この場合には、何等かの方法によって遊技領域間におけるパチンコ球の移動が行われたとしても、店員や計数機等によって移動の事実を容易に把握することができる。従って、景品交換率の低い第１遊技領域において獲得したパチンコ球を、景品交換率の高い第２遊技領域において景品額に換算するという行為を防止することができるという効果が顕著となる。
【手続補正１０】
【補正対象書類名】明細書
【補正対象項目名】００１４
【補正方法】変更
【補正の内容】
【００１４】
そこで、第１の発明において、前記第１遊技領域と前記第２遊技領域との間を移動する際に遊技者が通過する通過領域と、該通過領域に設けられ、一方の遊技領域において獲得したパチンコ球の数を、当該遊技領域の景品交換率と他方の遊技領域の景品交換率との比率に応じて換算するパチンコ球数換算装置とを備えていてもよい。
【手続補正１１】
【補正対象書類名】明細書
【補正対象項目名】００１７
【補正方法】変更
【補正の内容】
【００１７】
そこで、第１の発明において、前記パチンコ球数換算装置は、景品交換率の高い第２遊技領域から景品交換率の低い第１遊技領域へ移動する遊技者が所有するパチンコ球の数の換算は行わない様に構成されていてもよい。
この場合には、景品交換率の高い遊技領域においてパチンコ球を借り、景品交換率の低い遊技領域へ移動し、正規の方法によって借りる場合よりも多くのパチンコ球で遊技を開始するという行為を防止することができるので、この行為によって生じる損失から免れることができるという効果が得られる。
【手続補正１２】
【補正対象書類名】明細書
【補正対象項目名】００１８
【補正方法】変更
【補正の内容】
【００１８】
なお、前記パチンコ球数換算装置が、第２遊技領域において獲得したパチンコ球を、同数のまま第１遊技領域において遊技に用いることができる様に構成されていれば、同様の効果が得られる。
ところで、第２の発明のパチンコ球数換算装置は、第１の遊技機と、該第１の遊技機から獲得したパチンコ球を計数し、第１の景品交換率によって景品額に換算する第１交換率計数機とを備えた第１遊技領域と、第２の遊技機と、該第２の遊技機から獲得したパチンコ球を計数し、第１の景品交換率よりも高い第２の景品交換率によって景品額に換算する第２交換率計数機とを備えた第２遊技領域との間を移動する際に遊技者が通過する通過領域に設けられ、一方の遊技領域において獲得したパチンコ球の数を、当該遊技領域の景品交換率と他方の遊技領域の景品交換率との比率に応じて換算する。
この第２の発明によれば、遊技者は、一方の遊技領域において獲得したパチンコ球を用いて、他方の遊技領域において引き続き遊技を行うことができる。即ち、第２の発明は、上述のパチンコ遊技場に好適に用いることができる。